(57)【要約】【課題】  美麗な内巻開口縁部を安定して形成することができると共に懸賞機能としての隠蔽情報が設けられた二重容器を提供することである。【解決手段】  少なくとも内面に熱可塑性樹脂層を有すると共に開口部の周縁が外側にカールした外巻開口縁部からなる胴部を有する有底状の紙製容器本体と、一方の開口部の周縁が内側にカールした内巻開口縁部を有する紙製筒状体を前記内巻開口縁部が前記容器本体の底部側に位置するように前記容器本体の胴部外側に貼着した二重容器であって、前記紙製筒状体には剥離することができる剥離領域が形成され、剥離開始手段から変形切目線に沿って剥離した前記剥離領域の前記紙製筒状体の裏面に隠蔽情報が設けられていることを特徴とする二重容器。【選択図】        図１
2006298391.tif 000002
【特許請求の範囲】
【請求項１】
少なくとも内面に熱可塑性樹脂層を有すると共に開口部の周縁が外側にカールした外巻開口縁部からなる胴部を有する有底状の紙製容器本体と、一方の開口部の周縁が内側にカールした内巻開口縁部を有する紙製筒状体を前記内巻開口縁部が前記容器本体の底部側に位置するように前記容器本体の胴部外側に貼着した二重容器であって、前記紙製筒状体には剥離することができる剥離領域が形成され、剥離開始手段から変形切目線に沿って剥離した前記剥離領域の前記紙製筒状体の裏面に隠蔽情報が設けられていることを特徴とする二重容器。
【請求項２】
前記剥離開始手段が前記紙製筒状体の接合部の外側端縁に形成した摘み部と、該摘み部の両端から周方向に延びる変形切目線とからなることを特徴とする請求項１記載の二重容器。
【請求項３】
前記剥離開始手段が前記紙製筒状体に形成した前記紙製筒状体の接合部の外側端縁側に凸状となる凸状切目線と、該凸状切目線の両端から前記凸状切目線に対して乖離するように周方向に延びる変形切目線とからなることを特徴とする請求項１記載の二重容器。
【請求項４】
前記凸状切目線の凸状側が切抜き部であることを特徴とする請求項３記載の二重容器。
【請求項５】
前記変形切目線が前記紙製筒状体の周方向に直交する方向の直線部と該直線部の両端から前記直線部に対して鋭角に突出する突出線部とからなる略Ｚ字状切目線が周方向に一定間隔で形成されたものであることを特徴とする請求項１〜４のいずれかに記載の二重容器。
【請求項６】
前記隠蔽情報がインクジェットプリンターで印字されてなることを特徴とする請求項１記載の二重容器。
【請求項７】
前記隠蔽情報が識別文字列であることを特徴とする請求項６記載の二重容器。
【発明の詳細な説明】
【技術分野】
【０００１】
本発明は、熱湯を注いで調理するインスタント食品等の容器として用いられる断熱容器に関し、さらに詳しくは、紙製容器本体とその胴部外側に貼着される筒状体から構成される二重容器であって、抽選番号などとして景品提供を行うことで販売促進に用いることができる隠蔽情報を備えた二重容器に関するものである。
【背景技術】
【０００２】
従来から、食品等の内容物の販売促進を目的に、食品等の内容物を包装する包装体などに懸賞機能を付与する手段が用いられている。この手段の一つとしては、たとえば、隠蔽性を有する包装体内に、たとえば、カップ状容器内に当たり券等を収納し、カップ状容器を開封して、隠蔽情報としての「当たり外れ」等の情報を確認できるようになっている。この場合、当たり券は別途用意する必要があると共にこれをカップ状容器内に入れる作業が必要となるなど、結構手間隙がかかるという問題がある。
【０００３】
上記問題を解決するための色々な提案がなされている（たとえば、特許文献１参照）。特許文献１に開示された技術は、二重容器の筒状体に切れ目線で区画された領域を設け、この領域を切れ目線に沿って切り取ることにより、この領域の筒状体の裏面ないし容器本体の前記筒状体側の面に付与された「当たり外れ」等の情報を確認できるようにしたものであり、上記したカップ状容器の販売促進のための懸賞機能を付与する手段の問題点を解決するものであり、価値あるものである。
【０００４】
しかしながら、上記した二重容器には、次のような問題がある。すなわち、隠蔽情報が少なく、筒状体に形成される切れ目線により区画される領域が前記筒状体の全面積に対して小さい円形、具体的には直径３ｃｍ以下、好ましくは２ｃｍ以下の場合にはそれほど問題にはならないが、隠蔽情報が多く、筒状体に形成される切れ目線により区画される領域が大きい円形、具体的には直径３ｃｍ超の場合や、前記筒状体の周方向に平行な切れ目線が設けられる場合、たとえば、切れ目線により区画される領域が矩形状の場合、前記筒状体の一方の開口部の周縁に内側にカールした内巻開口縁部を形成する際に、前記筒状体の周方向に平行な切れ目線で前記筒状体が座屈して、美麗な内巻開口縁部を形成することができないという問題がある。
【特許文献１】特開２００３−２７６７３８号公報
【発明の開示】
【発明が解決しようとする課題】
【０００５】
そこで本発明は、上記したような諸問題を解決するためになされたものであって、美麗な内巻開口縁部を安定して形成することができると共に懸賞機能としての隠蔽情報が設けられた二重容器を提供することである。
【課題を解決するための手段】
【０００６】
本発明者は、上記課題を達成するために、請求項１記載の本発明は、少なくとも内面に熱可塑性樹脂層を有すると共に開口部の周縁が外側にカールした外巻開口縁部からなる胴部を有する有底状の紙製容器本体と、一方の開口部の周縁が内側にカールした内巻開口縁部を有する紙製筒状体を前記内巻開口縁部が前記容器本体の底部側に位置するように前記容器本体の胴部外側に貼着した二重容器であって、前記紙製筒状体には剥離することができる剥離領域が形成され、剥離開始手段から変形切目線に沿って剥離した前記剥離領域の前記紙製筒状体の裏面に隠蔽情報が設けられていることを特徴とするものである。
【０００７】
また、請求項２記載の本発明は、請求項１記載の二重容器において、前記剥離開始手段が前記紙製筒状体の接合部の外側端縁に形成した摘み部と、該摘み部の両端から周方向に延びる変形切目線とからなることを特徴とするものである。
【０００８】
また、請求項３記載の本発明は、請求項１記載の二重容器において、前記剥離開始手段が前記紙製筒状体に形成した前記紙製筒状体の接合部の外側端縁側に凸状となる凸状切目線と、該凸状切目線の両端から前記凸状切目線に対して乖離するように周方向に延びる変形切目線とからなることを特徴とするものである。
【０００９】
また、請求項４記載の本発明は、請求項３記載の二重容器において、前記凸状切目線の凸状側が切抜き部であることを特徴とするものである。
【００１０】
また、請求項５記載の本発明は、請求項１〜４のいずれかに記載の二重容器において、前記変形切目線が前記紙製筒状体の周方向に直交する方向の直線部と該直線部の両端から前記直線部に対して鋭角に突出する突出線部とからなる略Ｚ字状切目線が周方向に一定間隔で形成されたものであることを特徴とするものである。
【００１１】
また、請求項６記載の本発明は、請求項１記載の二重容器において、前記隠蔽情報がインクジェットプリンターで印字されてなることを特徴とするものである。
【００１２】
また請求項７記載の本発明は、請求項６記載の二重容器において、前記隠蔽情報が識別文字列であることを特徴とするものである。
【発明の効果】
【００１３】
本発明の二重容器は、変形切目線で剥離領域を形成したので、紙製筒状体の内巻開口縁部を安定して形成することができるという効果を奏し、また、紙製筒状体の裏面に隠蔽情報を設けるので、（１）当たり券を別途用意する必要もなく、容器内に入れるという作業も排除できるという効果を奏し、（２）剥離領域を剥離開始手段から変形切目線に沿って容易に剥離することができて隠蔽情報を容易に確認することができるという効果を奏し、（３）隠蔽情報をインクジェットプリンターで設ける場合、隠蔽情報の形成が極めて容易であると共に情報量を多くすることができるという効果を奏するものである。
【発明を実施するための最良の形態】
【００１４】
上記の本発明について、図面等を用いて以下に詳述する。
図１は本発明にかかる二重容器の構造を図解的に示す図、図２は本発明にかかる二重容器に用いる紙製筒状体の第１実施形態を示す展開図、図３は図２の裏面を示す図、図４は本発明にかかる二重容器に用いる紙製筒状体の第２実施形態を概略的に示すブランク板、図５は本発明にかかる二重容器に用いる紙製筒状体の第３実施形態を概略的に示すブランク板、図６は本発明の二重容器の紙製筒状体に形成する変形切目線を説明する要部拡大図であり、図中の１は二重容器、２は紙製容器本体、３は紙製筒状体、３ａ，３ｂ，３ｃはブランク板、２０は胴材、２１は外巻開口縁部、２２は底材、３０は内巻開口縁部、３１はＶ字状切欠、３２は摘み部、３３は一条の切目線、３４は変形切目線、３５はハーフカット線、３６は略半円形凸状切目線、３６’は切抜き部、３４０は略Ｚ字状切目線、３４１は直線部、３４２は突出線部、Ａは剥離領域をそれぞれ示す。
【００１５】
図１は本発明にかかる二重容器の構造を図解的に示す図であって、二重容器１は一方の面にポリエチレン樹脂層を形成した略扇形状のポリエチレン塗工紙を前記ポリエチレン樹脂層面が内側となるように端縁を重ね合わせて接合して断面が台形状の筒状となした胴材２０の大きい方の開口部の周縁を外側にカールさせて外巻開口縁部２１を形成すると共に小さい方の開口部に一方の面にポリエチレン樹脂層を形成した円形状のポリエチレン塗工紙を前記ポリエチレン樹脂層が凸側の面となるように成形した周壁を備えた断面がコの字形状の底材２２を挿入し、胴材２０の小さい方の開口部の端縁を前記底材２２の前記周壁を被覆して熱接着した有底状の紙製容器本体２と、略扇形状の厚紙の両端縁を重ね合わせて接合して断面が台形状の筒状になすと共に小さい方の開口部の周縁を内側にカールさせて内巻開口縁部３０を形成した紙製筒状体３とからなり、前記紙製容器本体２の底材２２側から前記紙製筒状体３を前記紙製容器本体２に挿入して前記紙製容器本体２の前記外巻開口縁部２１側の貼着部（図示せず）で貼着したものである。
【００１６】
図２は本発明にかかる二重容器に用いる紙製筒状体の第１実施形態を概略的に示すブランク板であって、ブランク板３ａは略扇形状の厚紙からなり、前記ブランク板３ａの一方の側端縁（図２上、左の側端縁）に形成された２つのＶ字状切欠３１により剥離開始手段としての摘み部３２が区画形成され、前記Ｖ字状切欠３１の先端方向に一条の切目線３３がそれぞれ形成されると共に前記一条の切目線３３の先端方向に、後述する変形切目線３４が形成され、さらに前記ブランク板３ａの他方の側端縁（図２上、右の側端縁）の近傍に前記他方の側端縁に略平行なハーフカット線３５（図２上、略コの字を連ねた形状の３条のハーフカット線が形成されているが、１条であっても３条以外の複数条であってもよい）が形成されているものである。このように構成された前記ブランク板３ａは前記一方の側端縁が外側端縁となるように、前記他方の側端縁に重ね合わせて前記ハーフカット線３５上に位置するように塗布形成された接着剤で接合して断面が台形状の筒状となすと共に小さい方の開口部の周縁を内側にカールさせて内巻開口縁部３０を形成することにより紙製筒状体３とすることができる。なお、前記ブランク板３ａの前記変形切目線３４で区画される剥離領域Ａの裏面に図３に示すように隠蔽情報が設けられている。隠蔽情報としては、懸賞への応募のキーとなる応募番号、たとえば、識別文字列、あるいは、当たり外れの情報、あるいは、抽選の対象となる情報や御神籤等々などであるが、図３においては。識別文字列として、たとえば、１２桁の乱数が印字されている。
【００１７】
上記のように構成された前記ブランク板３ａからなる前記紙製筒状体３を前記紙製容器本体２に挿着した二重容器１は、前記紙製筒状体３の外側端縁に形成された前記摘み部３２を手指で摘んで剥離することにより前記一条の切目線３２から前記変形切目線３３に沿って剥離領域Ａを剥離することができ、剥離領域Ａの前記紙製筒状体３の裏面に設けられた隠蔽情報を確認することができる。なお、前記Ｖ字状切欠３１と前記変形切目線３４との間に設ける前記一条の切目線３３は剥離の容易さ（小さな力で剥離できること）を考慮して設けたものであり、剥離抵抗を考慮しないのであれば、別段設けなくてもよいものである。また、前記ハーフカット線３５は前記摘み部３２を手指で摘んで剥離する際に、紙層間の剥離を容易にして小さい力で剥離することができるように設けられているものであり、前記摘み部３２に対応する前記ハーフカット線３５部分に接着剤を設けない場合には、前記ハーフカット線３５は設けなくてもよいものである。
【００１８】
図４は本発明にかかる二重容器に用いる紙製筒状体の第２実施形態を概略的に示すブランク板であって、ブランク板３ｂは略扇形状の厚紙からなり、前記ブランク板３ｂの略中央部に前記ブランク板３ｂの一方の側端縁（図４上、左の側端縁）側に凸状となる剥離開始手段としての繋ぎ部を有する略半円形凸状切目線３６と、該半円形凸状切目線３６の両端から前記ブランク板３ｂの他方の側端縁（図４上、右の側端縁）側に延びる変形切目線３４が形成されているものである。このように構成された前記ブランク板３ｂは前記一方の側端縁が外側端縁となるように、前記他方の側端縁に重ね合わせて接着剤で接合して断面が台形状の筒状となすと共に小さい方の開口部の周縁を内側にカールさせて内巻開口縁部３０を形成することにより紙製筒状体３とすることができる。
【００１９】
上記のように構成された前記ブランク板３ｂからなる前記紙製筒状体３を前記紙製容器本体２に挿着した二重容器１は、前記略半円形凸状切目線３６の部分を起こし、これを摘み部として手指で摘んで剥離することにより前記変形切目線３４に沿って剥離領域Ａを剥離することができ、剥離領域Ａの前記紙製筒状体３の裏面に設けられた隠蔽情報を確認することができる。
【００２０】
図５は本発明にかかる二重容器に用いる紙製筒状体の第３実施形態を概略的に示すブランク板であって、ブランク板３ｃは図４に示した第２実施形態のブランク板３ｂにおいて、前記略半円形凸状切目線３６の凸状側が切抜き部３６’となっている以外は同じである。このように構成された前記ブランク板３ｃからなる前記紙製筒状体３を前記紙製容器本体２に挿着した二重容器１は、前記切抜き部３６’の部分から手指を入れるなどして剥離領域Ａを前記変形切目線３４に沿って容易に剥離して、剥離領域Ａの前記紙製筒状体３の裏面に設けられた隠蔽情報を確認することができる。
【００２１】
なお、図４に示した第２実施形態の前記略半円形凸状切目線３６は、略半円形に限るものではなく、三角形、四角形などの多角形等であってもよく、要するに本発明の趣旨を逸脱しない範疇のものはすべて含まれるものである。
【００２２】
図６は本発明の二重容器の紙製筒状体に形成する変形切目線を説明する要部拡大図であって、変形切目線３４は、たとえば、前記ブランク板３ａを紙製筒状体３とした際の周方向に直交する方向の直線部３４１と該直線部の両端から前記直線部３４１に対して鋭角に突出する突出線部３４２とからなる略Ｚ字状切目線３４０が周方向に一定間隔で形成されたものである。前記直線部３４１の長さとしては３〜６ｍｍ、前記直線部３４１同士の間隔としては３〜６ｍｍ、前記突出線部３４２の長さとしては１〜３ｍｍ、前記直線部３４１に対する前記突出線部３４２の角度としてはそれぞれの先端を延長した仮想線を想定した際に、前記仮想線がそれぞれ隣り合う前記直線部３４１と交わるように、さらに好ましくはそれぞれ隣り合う前記直線部３４１を３等分した際の真中に位置する部分と交わるように設けることが肝要である。このように構成することにより、剥離した際に変形切目線３４から外れることなく必ず略Ｚ字状切目線３４０を順に経由して剥離され、確実に設計通りの剥離領域Ａを確保することができる。なお、前記一条の切目線３３の長さとしては２〜５ｍｍが適当であり、また、前記一条の切目線３３とこれに隣り合う前記略Ｚ字状切目線３４０との間隔としては２〜５ｍｍが適当である。また、前記一条の切目線３３と前記Ｖ字状切欠３１（図示せず）の先端との間隔についても２〜５ｍｍが適当である。また、図４に示した前記略半円形凸状切目線３６の両端とこれに隣り合う前記略Ｚ字状切目線３４０との間隔についても２〜５ｍｍが適当である。
【図面の簡単な説明】
【００２３】
【図１】本発明にかかる二重容器の構造を図解的に示す図である。
【図２】本発明にかかる二重容器に用いる紙製筒状体の第１実施形態を示す展開図である。
【図３】図２の裏面を示す図である。
【図４】本発明にかかる二重容器に用いる紙製筒状体の第２実施形態を概略的に示すブランク板である。
【図５】本発明にかかる二重容器に用いる紙製筒状体の第３実施形態を概略的に示すブランク板である。
【図６】本発明の二重容器の紙製筒状体に形成する変形切目線を説明する要部拡大図である。
【符号の説明】
【００２４】
１                                      二重容器
２                                      紙製容器本体
３                                      紙製筒状体
３ａ，３ｂ，３ｃ                        ブランク板
２０                                    胴材
２１                                    外巻開口縁部
２２                                    底材
３０                                    内巻開口縁部
３１                                    Ｖ字状切欠
３２                                    摘み部
３３                                    一条の切目線
３４                                    変形切目線
３５                                    ハーフカット線
３６                                    略半円形凸状切目線
３６’                                  切抜き部
３４０                                  略Ｚ字状切目線
３４１                                  直線部
３４２                                  突出線部
Ａ                                      剥離領域
【図１】
2006298391.tif 000003
【図２】
2006298391.tif 000004
【図３】
2006298391.tif 000005
【図４】
2006298391.tif 000006
【図５】
2006298391.tif 000007
【図６】
2006298391.tif 000008